(57)【特許請求の範囲】
【請求項１】
製氷皿と、上面に複数の通気孔を設けた蓋体とから成り、前記通気孔の縁部に下方に垂下する防波リブを設け通気孔の投影面にまで延出する延出部を設けたことを特徴とする製氷装置。
【発明の詳細な説明】
【０００１】
【発明の属する技術分野】
本発明は運搬・扉開閉時の水こぼれを防止し、製氷時間を短縮させた製氷装置に関するものである。
【０００２】
【従来の技術】
近年、冷蔵庫の構造が引出し式冷凍室のものが増加してきたため、扉開閉時の製氷水のこぼれが発生したり他の食品や塵屑が侵入したりする問題が発生、衛生・クリーンへの意識が高まる中、清潔な冷凍室、製氷についてのニーズが多くなった。
【０００３】
従来より一部家庭用冷凍冷蔵庫において採用されている製氷装置については特開平９−１２６６２７号公報に示されているものがある。
【０００４】
以下、図面を参照しながら上記従来の製氷装置を説明する。
【０００５】
図１８は従来の製氷装置の斜視図、図１９は従来の製氷装置のＡ−Ａ断面図である。
【０００６】
１は製氷皿、２は蓋体で製氷皿１の外周側壁フランジ部１ａに密接、シールするように蓋体２が上部よりかぶさっている。
【０００７】
以上のように構成された製氷装置について、以下その動作を説明する。
【０００８】
製氷皿１に製氷水４を適量給水し、蓋体２をかぶせて密封後所定の製氷場所に設置、扉を閉じると扉の慣性力により発生する製氷皿１内の製氷水４の波動４ａは、製氷皿１の外周側壁フランジ部１ａに向かって登り始めて溢れようとするが、蓋体２により密接、シー
ルされているため製氷水４は溢れることなく製氷ブロック１ｂに戻っていく。
【０００９】
製氷途中に扉開閉でかかる慣性力３によって発生する波動についても同様で、蓋体２によって密接、シールされているため製氷水４は溢れることなく、製氷皿１周囲に供給される冷却冷気５によって冷却し、製氷を完了することができる。
【００１０】
また、蓋体２により外部から他の食品や塵屑が侵入したりすることもなく、清潔な氷を精製することができる。
【００１１】
【発明が解決しようとする課題】
しかしながら、上記従来の構成では蓋体２が冷気５を遮断し、製氷水との間に断熱層を形成、製氷時間が遅くなるという欠点があった。
【００１２】
本発明は従来の課題を解決するもので、運搬・扉開閉時の水こぼれを防止しながら、製氷時間を短縮させた製氷装置を提供することを目的とする。
【００１３】
【課題を解決するための手段】
この目的を達成するために本発明の製氷装置は、製氷皿と、上面に複数の通気孔を設けた蓋体とから成り、前記通気孔の縁部に下方に垂下する防波リブを設け通気孔の投影面にまで延出する延出部を設けたものである。
【００１４】
これにより、扉開閉による製氷皿の水がこぼれるのを防止でき、製氷時間を短縮できる。
【００１５】
【発明の実施の形態】
本発明の請求項１に記載の発明は、製氷皿と、上面に複数の通気孔を設けた蓋体とから成り、前記通気孔の縁部に下方に垂下する防波リブを設け通気孔の投影面にまで延出する延出部を設けたものであり、運搬・扉開閉時の慣性力によって発生する波動によって、水が通気孔からこぼれ落ちるのを防止でき、外部からの異物の侵入を防止しながら冷却冷気の吸気・排気をスムーズにすることができ、前記通気孔を通して前記製氷皿に給水した水を直接冷却して製氷時間を短縮させるものである。
【００１６】
【実施例】
以下本発明による製氷装置の実施例について、図面を参照しながら説明する。なお従来と同一構成については、同一符号を付して詳細な説明を省略する。
【００１７】
（参考例１）
図１は、本発明の参考例１による製氷装置の斜視図である。図２は、同参考例の製氷装置のＢ−Ｂ断面図である。
【００１８】
図１、図２において、１は製氷皿で、上部外周側壁フランジ部１ａ全周には複数の通気孔７を上面に設けた蓋体６が密接、シールするよう上方からかぶさっている。
【００１９】
以上のように構成された製氷装置について、以下その動作を説明する。
【００２０】
製氷皿１に製氷水４を適量給水し、蓋体６をかぶせて密接し所定の製氷場所に設置後、扉開閉時に慣性力３により発生する製氷皿１内の製氷水４の波動４ａは、製氷皿１の外周側壁より溢れようとするが、蓋体６で外周側壁フランジ部１ａをシールしているため製氷水４は溢れることなく製氷ブロック１ｂ内で貯水することができ、また蓋体６の上面には複数の通気孔７が設けてあるため冷却冷気５によって製氷水４を直接冷却、断熱を介さな
いため製氷時間を短縮させることができる。
【００２１】
（参考例２）
図３は、本発明の参考例２による製氷装置の斜視図である。図４は、同参考例の製氷装置のＣ−Ｃ断面図である。
【００２２】
図３、図４において、１は製氷皿で、上部外周側壁フランジ部１ａ全周には上面に少なくともひとつ以上の吸気孔９ａと排気孔９ｂとを構成した通気孔を設けた蓋体８が密接、シールするよう上方からかぶさっている。
【００２３】
以上のように構成された製氷装置について、以下その動作を説明する。
【００２４】
蓋体８の上面には少なくともひとつ以上の吸気孔９ａと排気孔９ｂとを構成した通気孔を設けてあるため、冷却冷気５が吸気孔９ａから吸入、蓋体８下面と製氷皿１上面との間を製氷水４から発生する暖湿気を巻き込みながら通り抜け、排気孔９ｂより排出することで製氷水４を直接冷却、断熱層を介さないため製氷時間を短縮させることができる。
【００２５】
（参考例３）
図５は、本発明の参考例３による製氷装置の斜視図である。図６は、同参考例の製氷装置のＤ−Ｄ断面図である。
【００２６】
図５、図６において、１は製氷皿で、上部外周フランジ部１ａ全周には上面端部に少なくともひとつ以上の通気孔１０を配し、縁部に下方に垂下する防波リブ１２を設けた蓋体１１が密接、シールするよう上方からかぶさっている。
【００２７】
以上のように構成された製氷装置について、以下その動作を説明する。
【００２８】
蓋体１１の上面に通気孔１０を配し、縁部に下方に垂下する防波リブ１２を設けることで、通気孔１０位置を蓋体１１の上面端部に設けることができるため、冷却冷気５が製氷皿１内の全ての製氷ブロック１ｂの製氷水４を隅々まで直接冷却、断熱層を介さないため製氷時間を短縮させることができる。
【００２９】
（実施例１）
図７は、本発明の実施例１による製氷装置の斜視図である。図８は、同実施例の製氷装置のＥ−Ｅ断面図である。
【００３０】
図７、図８において、１は製氷皿で、上部外周フランジ部１ａ全周には上面端部に少なくともひとつ以上の通気孔１３を配し、縁部に通気孔１３の下方に投影面まで延出する防波リブ１５を設けた蓋体１４が密接、シールするよう上方からかぶさっている。
【００３１】
以上のように構成された製氷装置について、以下その動作を説明する。
【００３２】
蓋体１４の上面に通気孔１３を配し、縁部に通気孔１３の投影面まで延出する防波リブ１５を設けることで、外部からの異物（食品、塵屑等）の侵入を防止しながら通気孔１３からの冷却冷気５がスムーズに流入流出の循環を行なえ製氷水４を直接冷却、断熱層を介さないため製氷時間を短縮させることができる。
【００３３】
（参考例４）
図９は、本発明の参考例４による製氷装置の断面図である。図１０は、同参考例を採用しない製氷装置例１の断面図である。図１１は、同参考例を採用しない製氷装置例２の断
面図である。
【００３４】
図９において、１は製氷皿で、上部外周フランジ部１ａ全周には上面端部に少なくともひとつ以上の通気孔１０を配し、縁部に下方に垂下する防波リブ１２を設けた蓋体１１が密接、シールするよう上方からかぶさって製氷皿１上部と蓋体１１下部との間に通風路１６を形成、通風路高さ１７を５ｍｍから３０ｍｍに設定している。
【００３５】
以上のように構成された製氷装置について、以下その動作を説明する。
【００３６】
蓋体１１の上面に吸気孔１０ａと排気孔１０ｂとを構成した通気孔を配しているため、冷却冷気５は吸気孔１０ａから吸入、蓋体１１下面と製氷皿１上面との間に形成し通風路高さ１７が５ｍｍから３０ｍｍの通風路１６を、製氷水４から発生する暖湿気を巻き込みながら小さい風路抵抗で大量に通り抜け、排気孔１０ｂより排出することで製氷水４を直接冷却、断熱層を介さないため製氷時間を短縮させることができる。
【００３７】
図１０のように蓋体１８下面と製氷皿１上面との間に形成した通風路高さ２０が５ｍｍ以下の通風路１９の場合、製氷皿１内の製氷ブロック１ｂがそれぞれ隔離状態となり製氷水４から発生する暖湿気が排気されにくくなると共に通風路１９が狭いため、風路抵抗が増大して冷却冷気５の循環が阻害され、製氷時間の短縮は望めない。
【００３８】
また、図１１のように蓋体２１下面と製氷皿１上面との間に形成した通風路高さ２３が３０ｍｍ以上の通風路２２の場合、風路抵抗が減少して製氷水４から発生する暖湿気は排気されていくが、通風路２２広すぎるため冷却冷気５の循環量は減少し、製氷時間の短縮は望めない。
【００３９】
（参考例５）
図１２は、本発明の参考例５による製氷装置の斜視図である。図１３は、同参考例の製氷装置のＦ−Ｆ断面図である。
【００４０】
図１２、図１３において、２４は中央部に製氷ブロック２４ｂが無く貫通孔２５が開いている製氷皿で、上部外周及び内周側壁フランジ部２４ａ全周には上面中央部に製氷皿２４の貫通孔２５位置に一致するよう設けた貫通孔２７を有する蓋体２６が密接、シールするよう上方からかぶさっている。
【００４１】
以上のように構成された製氷装置について、以下その動作を説明する。
【００４２】
製氷皿２４と蓋体２６の中央部には貫通孔２５と貫通孔２７があり、結合させてひとつの貫通路２８を設けてあるため、冷却冷気５が貫通路２８を貫通することで製氷皿２４内の各製氷ブロック２４ｂ表面を全面から冷却して製氷時間を短縮させることができる。
【００４３】
（参考例６）
図１４は、本発明の参考例６による製氷装置の斜視図である。図１５は、同参考例の製氷装置のＧ−Ｇ断面図である。
【００４４】
図１４、図１５において、１は製氷皿で、上部外周側壁フランジ部１ａ全周には製氷皿１内の各製氷ブロック１ｂを分離するよう設けた分離壁３０と上面に製氷ブロック毎に通気孔３１を有する蓋体２９が密接、シールするよう上方からかぶさっている。
【００４５】
以上のように構成された製氷装置について、以下その動作を説明する。
【００４６】
製氷皿１内の各製氷ブロック１ｂを分離するように分離壁３０が設けてあるため、扉開閉時の慣性力３によって発生する波動は、製氷水４が分離されて小さな波動になる。
【００４７】
そのため、各製氷ブロック１ｂの側壁から溢れようとする製氷水４の波動４ａの高さは低くなり、蓋体２９の上面に製氷ブロック毎に通気孔３１を設けても製氷水４が溢れなくなると共に製氷水４を直接冷却、製氷時間を短縮させることができる。
【００４８】
（参考例７）
図１６は、本発明の実施例２による製氷装置の斜視図である。図１７は、同実施例の製氷装置のＨ−Ｈ断面図である。
【００４９】
図１６、図１７において、３２は製氷皿で、水位面３２ａからの外周側壁の高さ３５が１５ｍｍ以上あり外周側壁３３の長辺側壁３３ａの一部に切欠き部３４が設けてある。
【００５０】
また３６は切欠き部３４の段落ち部で水平方向に相対向して形成されている。また氷が離氷したときにできる製氷ブロック３７が個々にバラバラに製氷されるためには、給水される水の満水位置は、水位面３２ａ近傍に給水されるのが望ましい。このため高さ寸法３５を水位面３２ａ高さから大きく取りすぎても製氷皿の無効高さ寸法が増大し、製氷室の無効容積が増えるため、実施例では水位面からの外周側壁高さ３５を１５ｍｍとしている。
【００５１】
以上のように構成された製氷装置について、以下その動作を説明する。
【００５２】
製氷皿３２の外周側壁３３に切り欠き部３４が設けてある。外周側壁３３に対して切り欠き部３４を形成し、水位面３２ａと段落ち部３６との距離を規制したのは、離氷時、一枚氷となって離氷しないようバラバラに個々の製氷ブロック３７となって離氷されるのが望ましい。この水位面３２ａと段落ち部３６との間の寸法を３ｍｍ〜５ｍｍ程度にするのが理想である。
【００５３】
そして、切り欠き部３４以外の外周側壁は高く、水位面３２ａからの外周側壁までの高さ３５が１５ｍｍとすることで、扉開閉時の慣性力３によって発生する製氷水４の波動４ａは側壁から溢れることなく蓋体を必要としないため、製氷水４を直接冷却し製氷時間を短縮させることができる。
【００５４】
【発明の効果】
以上説明したように本発明は、運搬・扉開閉時の水こぼれを防止しながら、製氷皿に給水した製氷水を通気孔を通して冷却冷気で直接冷却することで製氷時間を短縮させることができる。
【００５５】
また、通気孔を配し縁部に投影面まで延出する防波リブを設けることで、運搬・扉開閉時の慣性力によって発生する波動による溢れ製氷水を制止しながら、通気孔位置を蓋体上部外周部にまで設けることができ、また防波リブを通気孔の投影面まで延出してあるため、外部からの異物の侵入を防止しながら冷却冷気の吸気・排気をスムーズにすることができ、通気孔を通して製氷皿に給水した製氷水を直接冷却して製氷時間を短縮させることができる。
【図面の簡単な説明】
【図１】  本発明による製氷装置の参考例１の斜視図
【図２】  同参考例の製氷装置のＢ−Ｂ断面図
【図３】  本発明による製氷装置の参考例２の斜視図
【図４】  同参考例の製氷装置のＣ−Ｃ断面図
【図５】  本発明による製氷装置の参考例３の斜視図
【図６】  同参考例の製氷装置のＤ−Ｄ断面図
【図７】  本発明による製氷装置の実施例１の斜視図
【図８】  同実施例の製氷装置のＥ−Ｅ断面図
【図９】  本発明による製氷装置の参考例４の断面図
【図１０】  同参考例を採用しない製氷装置の例１の断面図
【図１１】  同参考例を採用しない製氷装置の例２の断面図
【図１２】  本発明による製氷装置の参考例５の斜視図
【図１３】  同参考例の製氷装置のＦ−Ｆ断面図
【図１４】  本発明による製氷装置の参考例６の斜視図
【図１５】  同参考例の製氷装置のＧ−Ｇ断面図
【図１６】  本発明による製氷装置の参考例７の斜視図
【図１７】  同実施例の製氷装置のＨ−Ｈ断面図
【図１８】  従来の製氷装置の斜視図
【図１９】  同従来の製氷装置のＡ−Ａ断面図
【符号の説明】
１、２４、３２  製氷皿
６、８、１１、１４、２６、２９  蓋体
７  複数の通気孔
９、１０、１３、３１  通気孔
９ａ  吸気孔
９ｂ  排気孔
１２、１５  防波リブ
１６  通風路
１７  通風路高さ
２５、２７  貫通孔
３０  分離壁
３３  外周側壁
３４  切り欠き部
３５  水位面からの外周側壁高さ
３６  段落ち部
３７  製氷ブロック
【図１】
0004470236.tif 000002
【図２】
0004470236.tif 000003
【図３】
0004470236.tif 000004
【図４】
0004470236.tif 000005
【図５】
0004470236.tif 000006
【図６】
0004470236.tif 000007
【図７】
0004470236.tif 000008
【図８】
0004470236.tif 000009
【図９】
0004470236.tif 000010
【図１０】
0004470236.tif 000011
【図１１】
0004470236.tif 000012
【図１２】
0004470236.tif 000013
【図１３】
0004470236.tif 000014
【図１４】
0004470236.tif 000015
【図１５】
0004470236.tif 000016
【図１６】
0004470236.tif 000017
【図１７】
0004470236.tif 000018
【図１８】
0004470236.tif 000019
【図１９】
0004470236.tif 000020